(57)【要約】      （修正有）【課題】天板の注出口をシールせしめるシール材で、使用時の注出口の開口に際し、易剥離性でバリア・フリーに考慮され、かつ天板表面の衛生性とデザイン性の向上をも考慮したプルタブ付シール材の提供。【解決手段】天板に穿設されている注出口を覆うようにシールするプルタブ付シール材１で、前記プルタブ付シール材１は、最内層がシーラント層でなり、シール材本体２０とその周縁の一端部に所定の幅で連設しているプルタブ２２とでなり、前記プルタブ２２は、把手用孔２２ａが略中央に穿設されていて、シール材本体２０は、紙製容器の天板と略同形状であるプルタブ付シール材１とする。【選択図】図１
2005041553.tif 000002
【特許請求の範囲】
【請求項１】
最内層がシーラント層でなり、紙製容器の天板に穿設されている注出口を覆うようにシールせしめて密封するプルタブ付シール材であって、前記プルタブ付シール材は、シール材本体とその周縁の一端部に所定の幅で連設しているプルタブとでなり、前記プルタブは、把手用孔が略中央に穿設されていることを特徴とするプルタブ付シール材。
【請求項２】
上記シール材本体の形状は、紙製容器の天板と略同形状であることを特徴とする請求項１記載のプルタブ付シール材。
【発明の詳細な説明】
【技術分野】
【０００１】
本発明は、清涼飲料等の容器で、円筒状、カップ状あるいはレンガ状（ブリックタイプ）の紙製容器の天板に設けられている飲み口部を覆うようにシール密封しているシール材に関するものであり、さらに詳しくは、その開封に易剥離性を有しデザイン性をも向上させるプルタブ付シール材に関する。
【背景技術】
【０００２】
従来、天板に設けられた飲み口部が剥離性のタブテープで覆われてシールされている清涼飲料等を収納する紙製容器が知られ、飲み口部の開口等使い易さに加え、使用後の廃棄処分が容易なことなどから、液体飲料分野で広く使用されている。
【０００３】
上記紙製容器としては、例えば円筒状、カップ状あるいはレンガ状（ブリックタイプ）のものがあり、そのタブテープの事例として、例えば図６の斜視図に示すように、円筒状紙製容器（１０）の天板（１２）に、飲み口として穿設されている注出口（１４）を、略長方形状のタブテープ（３）で覆い、ヒートシールして密封されている。
【０００４】
このタブテープ（３）は、ポリエチレンテレフタレートフィルムやアルミニウム箔等を基材とし、最内層が未延伸ポリプロピレン（ＣＰＰ）などでなるシーラント層が施されているものが用いられ、また上記円筒状紙製容器（１０）の天板（１２）の表面はポリエチレン等で処理されていて、上記のように略長方形状のタブテープ（３）は天板（１２）の表面にヒートシールで密封されるようになっている。そこで、このヒートシールに際し、中心方向の縁辺の両コーナー（３ａ）のみを残してヒートシールされていて、このヒートシールされていない両コーナー（３ａ）の一方を上方に折り曲げられて、飲食等で使用（開口）する時の摘み片（３ｂ）となるようにしたものがある（例えば、特許文献１参照。）。
【０００５】
以下に、先行技術文献を示す。
【特許文献１】特開２００２−２２５１７１号公報（図２、図３など）
【発明の開示】
【発明が解決しようとする課題】
【０００６】
しかしながら、上記の従来技術によるタブテープにおいては、飲食する際の使用（注出口の開口）に際し、先端の両コーナー（３ａ）にある一方の摘み片（３ｂ）を摘んで引っ張り上げ、天板（１２）から剥離するという行為は、特にお年寄り等にはこの摘み片（３ｂ）が摘み難かったりして容易ではなく、いわゆるバリア・フリーに欠けるものであった。さらにタブテープ（３）がシールされていず表面が露出している天板が汚れ等により衛生性に欠け、かつ略長方形状のタブテープではデザイン性にも欠けるという問題点があった。
【０００７】
本発明は、かかる従来技術の問題点を解決するものであり、その課題とするところは、紙製容器の天板に穿設されている注出口を覆うようにシールせしめて密封するシール材において、使用（飲食する）時の注出口の開口に際し、易剥離性でバリア・フリーに考慮され、かつ天板表面の衛生性に優れ、シール材のデザイン性の向上をも考慮したプルタブ付シール材を提供することにある。
【課題を解決するための手段】
【０００８】
本発明に於いて上記課題を達成するために、まず請求項１の発明では、最内層がシーラント層でなり、紙製容器の天板に穿設されている注出口を覆うようにシールせしめて密封するプルタブ付シール材であって、前記プルタブ付シール材は、シール材本体とその周縁の一端部に所定の幅で連設しているプルタブとでなり、前記プルタブは、把手用孔が略中央に穿設されていることを特徴とするプルタブ付シール材としたものである。
【０００９】
また、請求項２の発明では、上記シール材本体の形状は、紙製容器の天板と略同形状であることを特徴とする請求項１記載のプルタブ付シール材としたものである。
【発明の効果】
【００１０】
本発明は以上の構成であるから、下記に示す如き効果がある。
【００１１】
即ち、上記請求項１に係る発明によれば、最内層がシーラント層でなり、天板に穿設されている紙製容器の飲み口となる注出口を、覆うようにシールせしめて密封しているプルタブ付シール材は、シール材本体とその周縁の一端部に所定の幅で連設しているプルタブとでなり、このプルタブを把手用孔が略中央に穿設された形状のものとしたので、使用（飲食する）時の注出口の開口に際し、プルタブの略中央に穿設された把手用孔に人差し指あるいは中指を挿入してプルタブを引っ張り上げることによって、シール材本体が天板から容易に剥離され、飲み口となる注出口が開口されるようにしたもので、お年寄りなどでも容易に取り扱える、いわゆるバリア・フリーにも考慮されたプルタブ付シール材を提供できる効果がある。
【００１２】
また、上記請求項２に係る発明によれば、天板に穿設されている注出口を覆うシール材本体の形状を、紙製容器の天板と略同形状とすることによって、天板表面の全面がシール材本体でシールされて露出している部分がなくなり、使用（飲食する）時の注出口の開口に際し、プルタブ付シール材が天板表面から剥離されるので、天板表面の全面には汚れ等が全くなくなり、よって飲食時においては衛生性に優れ、かつ使用前においては、天板全面がシール材本体で覆われているので、例えばこのシール材本体の全面に絵柄等を施したりすることによって、従来の略長方形状のタブテープが天板の一部にシールされている場合と異なり、デザイン性の向上にも寄与するプルタブ付シール材とすることができる効果がある。
【００１３】
従って本発明は、清涼飲料水等を収納する円筒状、カップ状等の紙製容器の天板に設けられている飲み口（注出口）を塞封してシールするシール材として、特にバリア・フリーに考慮されたプルタブ付シール材として、優れた実用上の効果を発揮する。
【発明を実施するための最良の形態】
【００１４】
以下本発明を実施するための最良の形態を図面を用いながら詳細に説明する。
【００１５】
図１は、本発明のプルタブ付シール材の一事例を平面で表した説明図であり、図２は、本発明のプルタブ付シール材が紙製容器に装着された一事例を側断面で表した説明図である。また、図３は、本発明のプルタブ付シール材の使用（飲食などの）時の一実施の形態を示す側断面図であり、図４（ａ）、（ｂ）は、本発明のプルタブ付シール材が装着される紙製容器の一事例を示す斜視図であり、図５（ａ）、（ｂ）、（ｃ）は、本発明のプルタブ付シール材の側断面を表す一事例の積層図である。
【００１６】
上記請求項１に係る発明は、例えば図１の平面図に示すように、円形状のシヘル材本体（２０）とその周縁の一端部に所定の幅（Ｗ）で連設している略楕円形状のプルタブ（２２）とで構成され、このプルタブ（２２）は、その中心に略楕円形状の把手用孔（２２ａ）が穿設されているプルタブ付シール材（１）である。
【００１７】
上記プルタブ付シール材（１）を用いて、例えば図２の側断面図に示すように、シール材本体（２０）を構成するシーラント層（２０ａ）面を、円筒状の紙製容器本体（１０）の天板（１２）に穿設されている飲み口等となる注出口（１４）を覆うようにして、その天板（１２）の表面にヒートシールして密封するもので、その時のプルタブ（２２）は、シール材本体の周縁一端部から内側に折り曲げられている。
【００１８】
また、例えば図１に示すように、プルタブ（２２）の先端に突起状の摘み片（２２ｂ）を設けておいてもよい。
【００１９】
上記で得られた紙製容器の使用は、例えば、まず上記図１に示すプルタブ（２２）の先端に設けられた突起状の摘み片（２２ｂ）を摘み、図２に示すような内側に折り曲げられているプルタブ（２２）を起こし、図３の側断面図に示すように、その中心に穿設されている把手用孔（２２ａ）に人差し指あるいは中指（図示せず）を入れて、上方に引っ張り上げると、天板（１２）の表面から容易に剥離され、注出口（１４）が露出して開口され、内容物（清涼飲料等）の飲み口とすることができる。
【００２０】
また、上記請求項２に係る発明は、例えば図１に示すように、シール材本体（２０）の形状を、図２に示す円筒状紙製容器本体（１０）の天板（１２）と同形状、即ち円形状としたもので、このことによって、図２に示すように、天板（１２）の表面全面がシール材本体（２０）で覆われてシールされているようにして、天板（１２）の表面が露出していないようにしたものである。
【００２１】
このように、通常、即ち流通過程や店頭陳列あるいは保管、保存中は、天板（１２）の表面が全く露出していないので、汚れなどに対し、特に飲料類の容器として衛生性に配慮されたプルタブ付シール材（１）とすることができ、衛生性に優れた紙製容器を提供することができる。
【００２２】
また、図２に示すように、天板（１２）の表面全面がシール材本体（２０）で覆われているので、例えばシール材本体（２０）の表面に絵柄等の印刷を施したものとすると、この紙製容器の天面がデザイン性に富み、例えば図５に示すような従来の略長方形状のタブテープ（３）が天板（１２）の一部にシールされて、シールされていない部分が露出しているのに比べ、デザイン性の向上に寄与するプルタブ付シール材（１）とすることができる。
【００２３】
上記プルタブ付シール材（１）を構成するプルタブ（２２）の形状は、例えば図１に示すような円形状のシール材本体（２０）に対しては、円形状のシール材本体（２０）の周縁端部に所定の幅（Ｗ）で連設していて、所定の幅（Ｗ）方向に長軸（Ｌ１）を有する楕円形状のものが好ましく、それに穿設されている把手用孔（２２ａ）の形状もプルタブ（２２）の形状に準じた楕円形状として、人差し指や中指を差込み易い形状とするものである。
【００２４】
さらに、上記プルタブ（２２）のサイズとしては、シール材本体（２０）のサイズによっても異なるが、例えば直径（φ）が５５ｍｍの円形状のシール材本体（２０）の場合、連設している幅（Ｗ）は、２０ｍｍ程度が好ましく、この幅（Ｗ）が小さ過ぎると、プルタブ（２２）を引っ張り上げた際に、その積層される材料の強度にもよるが、千切れたりするので好ましくなく、また大き過ぎると、シールされる天板（１２）に露出部分が多くなり、衛生性等の点から好ましくない。
【００２５】
また、上記プルタブ（２２）を形成する楕円形の長軸（Ｌ１）は、４０ｍｍ程度で、短
軸（Ｓ１）は、３０ｍｍ程度が好ましく、その中に穿設されている把手用孔（２２）を形成する楕円形の長軸（Ｌ２）は、３０ｍｍ程度で、短軸（Ｓ１）は、３０ｍｍ程度が好ましい。
【００２６】
上記のようなサイズのプルタブ（２２）とすることによって、使用時に先端の突起状の摘み片（２２ｂ）あるいはプルタブ（２２）自体を摘んで起こす場合、摘み易く、かつ人差し指または中指が把手用孔（２２）に挿入し易く、よってお年寄りなど身体が不自由な人でも容易に剥離開口が可能な、いわゆるバリア・フリーに考慮されたプルタブ付シール材（１）とすることができる。
【００２７】
上記円形状のシール材本体（２０）が装着される紙製容器として、図１および図２に示すような円筒状の紙製容器（１０）の他に、例えば図４（ａ）の斜視図に示すように、カップ状（逆円錐台形状）紙製容器（１１）の天板（１２）に装着することもでき、さらに図５（ｂ）の斜視図に示すように、例えば四角筒形状の紙製容器（１３）の天板（１２）に、四角形状のシール材本体（２０）に把手用孔（２２ａ）が穿設されたプルタブ（２２）が所定の幅（Ｗ）で連設されているプルタブ付シール材（１）を装着したものとすることもできる。さらに四角形状のシール材本体（２０）でなるプルタブ付シール材（１）は、図示しないが逆四角錐台形状の紙製容器にも適用することができる。
【００２８】
以下に、上記本発明のプルタブ付シール材（１）を構成する材料等について具体的に説明する。
【００２９】
上記本発明のプルタブ付シール材（１）として、少なくとも最内層が天板（１２）表面とのヒートシール性とプルタブ（２２）を引っ張り上げた時のピール性とを有するシーラント層でなり、かつプルタブ（２２）を引っ張り上げた際にシール材本体（２０）と連設している所定の幅（Ｗ）の部分で千切れたりしない強度があれば、特にその積層材料等に限定するものではないが、一般的には、例えば、図５（ａ）の積層断面図に示すように、坪量８５ｇ／ｍ２  程度のコート紙、上質紙等でなる紙基材（２０ｄ）の表面に厚さ１２μｍ程度の表面保護層（２０ｅ）がラミネートされ、裏面には内容物の酸化等を防止するための透明ガスバリア層（２０ｃ）がラミネートされ、この透明ガスバリア層（２０ｃ）面に、千切れに対する強度等を補うための中間層（２０ｂ）として、厚さ１５μｍ程度の延伸ナイロンフィルムを設け、さらにその面に厚さ４０μｍ程度のシーラント層（２０ａ）が積層されたものが用いられる。
【００３０】
上記プルタブ付シール材（１）を構成する透明ガスバリア層（２０ｃ）としては、例えば、厚さ１２μｍ程度のポリエチレンテレフタレートフィルムに、酸化アルミニウムあるいは酸化珪素等無機酸化物を蒸着したものが用いられる。
【００３１】
また、最内層に設けられる上記シーラント層（２０ａ）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムを用いてもよいが、ある程度のイージーピール性をも考慮すると、例えば、上記ポリオレフィン樹脂にポリスチレンやポリブデン等からなる、該ポリオレフィン樹脂に対し不相溶性成分を混合したものや、これらポリエチレン系樹脂とエチレン／プロピレン樹脂との混合樹脂からなるもの、あるいはポリプロピレン樹脂に低密度ポリエチレン樹脂を適量添加した樹脂からなるフィルムが、より好適に使用することができる。
【００３２】
また、上記プルタブ付シール材（１）として、例えば、図５（ｂ）に示すように、厚さ
５０μｍ程度のアルミニウム箔層（２０ｆ）の裏面に、上述した樹脂でなる厚さ４０μｍ程度のシーラント層（２０ａ）が積層されたものがあり、ストロー突き刺し性もあるので、ストローの突き刺しで開口（飲食）も可能なものとすることもできるが、プルタブを引っ張り上げた際の千切れ等に対する強度が少々弱いことや表面への印刷性（デザイン面）に難があり、さらに金属屑等異物混入の検査に金属探知機が使用できないこと、さらには使用後の廃棄に際し、焼却処理で焼却炉を傷めて燃焼効率を低下させ、その焼却灰から有害ガスが発生するなど環境に配慮されていない等の問題があるので、好ましいものではない。
【００３３】
また、上記ストロー突き刺し性をも備えたプルタブ付シール材（１）として、例えば、図５（ｃ）に示すように、坪量８５ｇ／ｍ２  程度のコート紙、上質紙等でなる紙基材（２０ｄ）の表面に、２〜５ｇ／ｍ２  （固形分）程度に塗布されたセルロース等天然樹脂でなるアンチカール剤層（２０ｇ）が形成され、裏面には上述した材料等でなる透明ガスバリア層（２０ｃ）がラミネートされ、この透明ガスバリア層（２０ｃ）面に、上述した樹脂でなる厚さ４０μｍ程度のシーラント層（２０ａ）が積層されたものを用いることもできる。
【００３４】
また、本発明のプルタブ付シール材（１）がヒートシール等で装着される紙製容器の天板（１２）としては、例えば図２に示すように、８０ｇ／ｍ２  程度のカップ原紙などを紙層（１２ａ）とし、その両面に厚さ３０μｍ程度のポリエチレン層（１２ｂ）がラミネートされているものが一般的である。
【図面の簡単な説明】
【００３５】
【図１】本発明のプルタブ付シール材の一実施の形態を示す正面図である。
【図２】本発明のプルタブ付シール材を紙製容器の天板に装着した一実施の形態を側断面で表した説明図である。
【図３】本発明のプルタブ付シール材を紙製容器の天板から剥離した一実施の形態を側断面で表した説明図である。
【図４】本発明のプルタブ付シール材が装着される紙製容器を説明するもので、（ａ）は、その一事例を示す斜視図であり、（ｂ）は、他の一事例を示す斜視図である。
【図５】本発明のプルタブ付シール材の積層断面図で、（ａ）は、その一事例であり、（ｂ）は、他の一事例であり、（ｃ）は、さらに他の一事例である。
【図６】従来のタブテープの一事例を説明する斜視図である。
【符号の説明】
【００３６】
１‥‥プルタブ付シール材
３‥‥タブテープ
３ａ‥‥タブテープの先端のコーナー
３ｂ‥‥タブテープの摘み片
１０‥‥円筒状紙製容器
１１‥‥カップ状紙製容器
１２‥‥天板
１２ａ‥‥天板の紙層
１２ｂ‥‥ポリエチレン層
１３‥‥四角筒状紙製容器
１５‥‥底板
１７‥‥胴部
２０‥‥シール材本体
２０ａ‥‥シーラント層
２０ｂ‥‥中間層
２０ｃ‥‥透明ガスバリアー層
２０ｄ‥‥紙基材
２０ｅ‥‥表面保護層
２０ｆ‥‥アルミニウム箔層
２０ｇ‥‥アンチカール剤層
２２‥‥プルタブ
２２ａ‥‥把手用孔
２２ｂ‥‥突起状摘み片
Ｌ１‥‥楕円形状プルタブの長軸の長さ
Ｌ２‥‥楕円形状プルタブの短軸の長さ
Ｓ１‥‥楕円形状把手用孔の長軸の長さ
Ｓ２‥‥楕円形状把手用孔の短軸の長さ
Ｗ‥‥連設する所定の幅
φ‥‥円形状シール材の直径
【図１】
2005041553.tif 000003
【図２】
2005041553.tif 000004
【図３】
2005041553.tif 000005
【図４】
2005041553.tif 000006
【図５】
2005041553.tif 000007
【図６】
2005041553.tif 000008